【事件の表示】
　平成１１年特許願第　６０３６７号「インク容器のインク量を指定する方法および装置」拒絶査定不服審判事件〔平成１１年１０月２６日出願公開、特開平１１−２９１５１８〕について、次のとおり審決する。
【結　論】
　本件審判の請求は、成り立たない。
【理　由】
　
１．手続の経緯・本願発明
　本願は、平成１１年３月８日（パリ条約による優先権主張１９９８年３月９日、米国）の出願であって、平成２１年６月２日付けで拒絶査定がなされ、これに対して同年９月３日に拒絶査定不服審判が請求されると同時に明細書の特許請求の範囲についての手続補正がなされたものである。
　さらに、審査官により作成された前置報告書について審尋がなされたところ、審判請求人から平成２２年８月２７日付けで回答書が提出されたものである。
　なお、平成２１年９月３日付けの手続補正は、請求項６及び９の記載において、本来不要であった、「インク容器スケールパラメータと、及び」の「及び」を削除するものであるから、該補正は、平成１８年法律第５５号改正附則第３条第１項によりなお従前の例によるとされる同法による平成１８年改正前特許法第１７条の２第４項第３号に規定する「誤記の訂正」を目的とするものに該当する適法な補正と認める。
　
　そして、本願に係る発明は、上記平成２１年９月３日付けで補正された特許請求の範囲の請求項１ないし１３に記載されたものと認められるところ、その請求項１に記載された発明（以下「本願発明」という。）は、次のとおりのものである。
　
「　インクジェット印刷装置（10）であって、
　インクの供給を受けるように構成され、制御信号に応答してインクを媒体に被着させるためのプリンタ部（12）と、
　前記プリンタ部にインクを供給し、前記プリンタ部にパラメータを提供するための電気記憶装置（38）を含む交換可能なインク容器（18）とを含み、前記電気記憶装置（38）が、
　複数のインク容器容量範囲から選択されたインク容器容量範囲を表すインク容器スケールパラメータと、
　前記選択されたインク容器容量範囲について特定の充填割合を表す充填割合パラメータとを含み、
　前記プリンタ部（12）が、前記インク容器スケールパラメータにより示される前記選択されたインク容器容量範囲の最大インク容器容量に、前記充填割合パラメータにより示される前記選択されたインク容器容量範囲の前記特定の充填割合を掛け合わせることにより、前記インク容器（18）に関連するインク量を決定する、インクジェット印刷装置（10）。」
　
２．引用された刊行物記載の発明
（刊行物１について）
　これに対して、原査定の拒絶の理由に引用され、本願の優先日前に頒布された、特開平９−３０９２１３号公報（以下「刊行物１」という。）には、次の事項が記載されている。（下線は審決で付した。以下同じ。）
　
（１−ａ）「【００２６】［インクジェットプリンタ］図４および図５に示すように、インクジェットプリントカートリッジ60はインクを収容する内部インク溜め62を有する。液体連通管64によってレセプタクル66がカートリッジ60からインクを受け取ることができる。また、レセプタクル66内のアクチュエータ（図示せず）にダイヤフラム68が連通されてインク溜め62に加圧する。電気接続部70が回路基板74上の少なくとも１つの接点（contact land）72と接続する。
シリアルメモリチップ76
メモリチップ76
　　
（１−ｂ）「【００２９】
上述したパラメータおよび手順の少なくとも一部は、プリンタドライバに加えてメモリチップ76にも記憶される
マイクロプロセッサ86はメモリチップ76の内容を調べ
インクジェットプリンタはかかるパラメータにしたがって既知の態様で動作可能となる
　　
（１−ｃ）「【００３１】
メモリチップ76に記憶されるパラメータデータには、カートリッジから放出されるインク滴の実カウント値
カートリッジのサイズ
カートリッジの使用状態の情報その他がある
【００３２】かかるデータによってマイクロプロセッサ86はインクジェットプリンタ内の多数の制御機能を実行することができる。たとえば、
マイクロプロセッサ86はカートリッジ60内のインク残量の概算を計算し
　　
（１−ｄ）「【００３９】印刷の進行につれて、マイクロプロセッサ86はインク滴量係数、インク滴カウント値、および温度測定値を用いてインク使用量を見積もる。メモリチップ76内のインク使用量は周期的に更新され（108）、インク入れが過少になったことがわかると（判断110）ユーザーに警告メッセージが示される。あるいは印刷ジョブがその後停止される（これはユーザーによって無効化されることがある）（112）。印刷ジョブが完了すると（判断114）、インクジェットプリンタの次の動作に備えて修正されたパラメータがメモリチップ76に書き込まれる（116）。
【００４０】図７にはこのプリンタに用いられる、インクカートリッジから得られるインク使用状態パラメータに関係する手順をさらに詳細に示す。」
　
（１−ｅ）「【００４７】〔実施態様６〕
インクジェットプリンタであって、以下（ａ）ないし（ｄ）を含む
（ａ）
インクジェットプリンタを制御するプロセッサ手段（86）
（ｂ）インクジェットプリントヘッド（82）
（ｃ）レセプタクル（66）であって、使い捨て可能なインクカートリッジ（60）を受け、前記インクジェットプリントヘッド（82）に液通し、前記プロセッサ手段（86）に結合された第１のコネクタ手段（70）を含むレセプタクル（66）
（ｄ）使い捨て可能なインクカートリッジ（60）であって、
インクを保持するインク溜め（62）、
前記プロセッサ手段（86）にとってアクセス可能であって、少なくとも前記インク溜め（62）内のインクの使用状態を示すデータを記憶するシリアルアクセスメモリ（40）を含む使い捨て可能なインクカートリッジ（60）
　
（１−ｆ）図５として、
「
 
」
　
（１−ｇ）図７として、
「
 
」
　
　
　したがって、上記の事項を総合すると、刊行物１には、次の発明（以下「刊行物１発明」という。）が開示されていると認められる。
　
「（ａ）インクジェットプリンタを制御するプロセッサ手段（86）と、
（ｂ）インクジェットプリントヘッド（82）と、
（ｃ）レセプタクル（66）であって、使い捨て可能なインクカートリッジ（60）を受け、前記インクジェットプリントヘッド（82）に液通し、前記プロセッサ手段（86）に結合された第１のコネクタ手段（70）を含むレセプタクル（66）と、
（ｄ）インクを保持するインク溜め（62）、前記プロセッサ手段（86）にとってアクセス可能であって、少なくとも前記インク溜め（62）内のインクの使用状態を示すデータを記憶するメモリチップ（76）を含む使い捨て可能なインクカートリッジ（60）とを含み、
前記メモリチップ（76）には、カートリッジから放出されるインク滴の実カウント値、カートリッジのサイズ、カートリッジの使用状態の情報その他が記憶され、
前記プロセッサ手段（86）は、前記メモリチップ（76）に記憶された前記インクの使用状態を示すデータに基づいて残量インクの計算を行う、
インクジェットプリンタ。」
　
（刊行物２について）
　原査定の拒絶の理由に引用され、本願の優先日前に頒布された、特表平４−５００４８２号公報（以下「刊行物２」という。）には、次の事項が記載されている。
　
（２−ａ）「請求の範囲
１．プリンタ用の監視システムであって、　
ａ）
プリント媒体を受容する容器
ｂ）
この容器が電子式メモリ（１４）を有しており
ｃ）
この電子式メモリ（１４）には、容器（１１，１２）の現在量
その他のプリント媒体状態データについての情報が、呼出し可能に記憶されている
２．プリンタが検知装置（１６）を有しており、この検知装置がプリント作業時にプリント媒体の消費量を検知し、かつまた、
検知した消費量に応じて、電子式メモリ（１４）に記憶された情報が残存量に適合せしめられる
　
（２−ｂ）「確実なプリント作業が保証されるためには、通常、
容器内のプリント媒体の残量を監視する必要がある
インク式のプリンタの場合
　
（２−ｃ）「
インク容器と結合されたチップ、すなわちメモリ１４のそれぞれは
各インク容器の蓄液バブルの現在の充填度を記憶する
各チップが、各蓄液バブルごとに記憶帯１７を有するようにする
この記憶帯１７は、たとえば電子カウンタとして構成することもでき、そのカウント数ないし占有状態は、配属された蓄液バブルの充填状態に合致する
　
　上記の事項から、刊行物２には、次の発明（以下「刊行物２発明」という。）が開示されていると認められる。
　
「インク式プリンタにおいて、インク容器と結合されたチップに、各インク容器の蓄液バブルの現在の充填度を記憶させること。」
　
（刊行物３について）
　原査定の拒絶の理由に引用され、本願の優先日前に頒布された、特開平２−２７９３４４号公報（以下「刊行物３」という。）には、次の事項が記載されている。
　
（３−ａ）「２．特許請求の範囲
（１）　
インク室を有するハウジングと該インク室と流体を連通する複数のオリフィスと該オリフィスを通して前記インク室からインクを噴出させる手段とを有するインクジェット印刷ヘッドにおいて
　前記ハウジングには前記印刷ヘッドの動作特性に関するデータを記憶する
記憶手段が備えられている
（２）　前記記憶手段が前記インク室内のインク色に関するデータを記憶していることを特徴とする請求項（１）記載のインクジェット印刷ヘッド。
（３）　
前記記憶手段が前記インク室内のインクの量に関するデータを記憶している
　
（３−ｂ）「信号発生回路３８の出力には、印刷ヘッドが印刷するよう命令されているインク滴の数をカウントする監視回路４２が接続されている。この数は与えられた印刷作業の間に印刷ヘッドによって消費されるインクの量に直接関係している。
印刷ヘッドのメモリー１４は、インク室に残っているインクの相対量を示すデータをもっていることが望ましい（このデータはまず製造過程でロードされ、インクの全充填値に一致するように設定される）
　
　上記の事項を総合すると、刊行物３には、次の発明（以下「刊行物３発明」という。）が開示されていると認められる。
　
「インク室を有するハウジングと該インク室と流体を連通する複数のオリフィスと該オリフィスを通して前記インク室からインクを噴出させる手段とを有するインクジェット印刷ヘッドにおいて、前記ハウジングには前記インク室内のインクの量に関するデータを記憶する記憶手段として、メモリーが備えられており、前記インクの量に関するデータは、前記インク室に残っているインクの相対量を示すデータであって、製造過程においてインクの全充填値に一致するように設定されるものである、インクジェット印刷ヘッド。」　
３．対比
　本願発明と刊行物１発明と対比する。
　
（１）刊行物１発明の「インクジェットプリンタ」は、本願発明の「インクジェット印刷装置（10）」に相当する。
　
（２）刊行物１発明の「インクカートリッジ（60）」、「前記インク溜め（62）内のインクの使用状態を示すデータ」及び「メモリチップ（76）」は、それぞれ、本願発明の「インク容器（18）」、「パラメータ」及び「電気記憶装置（38）」に相当する。
　また、刊行物１発明の「インク溜め（62）内のインク」の量は、本願発明の「インク容器（18）に関連するインク量」に相当する。
　
（３）刊行物１発明の「（ａ）インクジェットプリンタを制御するプロセッサ手段（86）と、（ｂ）インクジェットプリントヘッド（82）と、（ｃ）レセプタクル（66）であって、使い捨て可能なインクカートリッジ（60）を受け、前記インクジェットプリントヘッド（82）に液通し、前記プロセッサ手段（86）に結合された第１のコネクタ手段（70）を含むレセプタクル（66）と」を含む構成は、本願発明の「インクの供給を受けるように構成され、制御信号に応答してインクを媒体に被着させるためのプリンタ部（12）」に相当する。
　
（４）上記（１）〜（３）から、
　刊行物１発明の「（ｄ）インクを保持するインク溜め（62）、前記プロセッサ手段（86）にとってアクセス可能であって、少なくとも前記インク溜め（62）内のインクの使用状態を示すデータを記憶するメモリチップ（76）を含む使い捨て可能なインクカートリッジ（60）」は、
　本願発明の「前記プリンタ部にインクを供給し、前記プリンタ部にパラメータを提供するための電気記憶装置（38）を含む交換可能なインク容器（18）」に相当し、
　刊行物１発明の
「『（ａ）インクジェットプリンタを制御するプロセッサ手段（86）と、
（ｂ）インクジェットプリントヘッド（82）と、
（ｃ）レセプタクル（66）であって、使い捨て可能なインクカートリッジ（60）を受け、前記インクジェットプリントヘッド（82）に液通し、前記プロセッサ手段（86）に結合された第１のコネクタ手段（70）を含むレセプタクル（66）と、
（ｄ）インクを保持するインク溜め（62）、前記プロセッサ手段（86）にとってアクセス可能であって、少なくとも前記インク溜め（62）内のインクの使用状態を示すデータを記憶するメモリチップ（76）を含む使い捨て可能なインクカートリッジ（60）とを含』む『インクジェットプリンタ』」は、
　本願発明の「『インクの供給を受けるように構成され、制御信号に応答してインクを媒体に被着させるためのプリンタ部（12）と、前記プリンタ部にインクを供給し、前記プリンタ部にパラメータを提供するための電気記憶装置（38）を含む交換可能なインク容器（18）とを含』む『インクジェット印刷装置（10）』」に相当する。
　
（５）刊行物１発明において、「前記メモリチップ（76）には、カートリッジから放出されるインク滴の実カウント値、カートリッジのサイズ、カートリッジの使用状態の情報その他が記憶され、前記プロセッサ手段（86）は、前記メモリチップ（76）に記憶された前記インクの使用状態を示すデータに基づいて残量インクの計算を行う」の「『メモリチップ（76）』に記憶されるデータとしての『カートリッジのサイズ』」は、本願発明の「インク容器容量範囲を表すインク容器スケールパラメータ」に相当するといえる。
　また、刊行物１発明の「前記メモリチップ（76）に記憶された前記インクの使用状態を示すデータに基づいて残量インクの計算を行う」は、本願発明の「前記インク容器（18）に関連するインク量を決定する」構成に相当する。
　
（６）上記（５）から、
　刊行物１発明の「前記メモリチップ（76）には、カートリッジから放出されるインク滴の実カウント値、カートリッジのサイズ、カートリッジの使用状態の情報その他が記憶され、前記プロセッサ手段（86）は、前記メモリチップ（76）に記憶された前記インクの使用状態を示すデータに基づいて残量インクの計算を行う」構成と、
　本願発明の「前記電気記憶装置が、複数のインク容器容量範囲から選択されたインク容器容量範囲を表すインク容器スケールパラメータと、
　前記選択されたインク容器容量範囲について特定の充填割合を表す充填割合パラメータとを含み、
　前記プリンタ部（12）が、前記インク容器スケールパラメータにより示される前記選択されたインク容器容量範囲の最大インク容器容量に、前記充填割合パラメータにより示される前記選択されたインク容器容量範囲の前記特定の充填割合を掛け合わせることにより、前記インク容器（18）に関連するインク量を決定する」構成とは、
「前記電気記憶装置が、インク容器容量範囲を表すインク容器スケールパラメータを含み、
　前記プリンタ部が、前記インク容器に関連するインク量を決定する」点で共通する。
　
（７）上記（４）及び（６）から、
　本願発明と、刊行物１発明とは、
「インクジェット印刷装置であって、
　インクの供給を受けるように構成され、制御信号に応答してインクを媒体に被着させるためのプリンタ部と、
　前記プリンタ部にインクを供給し、前記プリンタ部にパラメータを提供するための電気記憶装置を含む交換可能なインク容器とを含み、
　前記電気記憶装置が、インク容器容量範囲を表すインク容器スケールパラメータを含み、
　前記プリンタ部が、前記インク容器に関連するインク量を決定する、
　インクジェット印刷装置。」
の点で一致し、下記の点で相違する。
　
［相違点］： 
　本願発明は、「電気記憶装置」が「複数のインク容器容量範囲から選択されたインク容器容量範囲を表すインク容器スケールパラメータと、前記選択されたインク容器容量範囲について特定の充填割合を表す充填割合パラメータとを含み」、かつ、「プリンタ部」が「前記インク容器スケールパラメータにより示される前記選択されたインク容器容量範囲の最大インク容器容量に、前記充填割合パラメータにより示される前記選択されたインク容器容量範囲の前記特定の充填割合を掛け合わせることにより」インク量を決定するのに対し、
　刊行物１発明は、「電気記憶装置（メモリチップ（76））」が「カートリッジから放出されるインク滴の実カウント値、カートリッジのサイズ、カートリッジの使用状態の情報その他」を記憶するものであって、「複数のインク容器容量範囲から選択されたインク容器容量範囲を表すインク容器スケールパラメータと、前記選択されたインク容器容量範囲について特定の充填割合を表す充填割合パラメータとを含み」との特定がなく、かつ、「プリンタ部」が「前記インク容器スケールパラメータにより示される前記選択されたインク容器容量範囲の最大インク容器容量に、前記充填割合パラメータにより示される前記選択されたインク容器容量範囲の前記特定の充填割合を掛け合わせることにより」インク量を決定するとの特定がない点。
　　
４．当審の判断
（１）相違点について 
　上記相違点について検討する。
　
ア　刊行物２には、「インク式プリンタにおいて、インク容器と結合されたチップに、各インク容器の蓄液バブルの現在の充填度を記憶させること。」（上記２．「刊行物２発明」参照。）が、
　刊行物３には、「インク室を有するハウジングと該インク室と流体を連通する複数のオリフィスと該オリフィスを通して前記インク室からインクを噴出させる手段とを有するインクジェット印刷ヘッドにおいて、前記ハウジングには前記インク室内のインクの量に関するデータを記憶する記憶手段として、メモリーが備えられており、前記インクの量に関するデータは、前記インク室に残っているインクの相対量を示すデータであって、製造過程においてインクの全充填値に一致するように設定されるものである、インクジェット印刷ヘッド。」（上記２．「刊行物３発明」参照。）が、それぞれ記載されており、刊行物２発明及び刊行物３発明は、インク容器内のインクの使用状態を把握するという、刊行物１発明と共通の技術分野に属するものである。
　そして、刊行物２発明の「各インク容器の蓄液バブルの現在の充填度」及び刊行物３発明の「『前記インク室に残っているインクの相対量を示すデータであって、製造過程においてインクの全充填値に一致するように設定される』『インクの量に関するデータ』」は、いずれも「最大インク容器容量」に対する「充填割合パラメータ」ということができる。
　 
イ　インク容器内のインクの使用状態を把握するために、「カートリッジから放出されるインク滴の実カウント値」のような「インクの消費に関するデータ」を用いるか、それとも、インク容器内のインクの量を表す、「最大インク容器容量」に対する「充填割合パラメータ」を用いるかは、当業者が適宜選択できる設計的事項である。
　
ウ　上記ア及びイを踏まえれば、刊行物１発明において、「インク容器に関連するインク量を決定する」ことを目的として、「カートリッジから放出されるインク滴の実カウント値」に代えて、「最大インク容器容量」に対する「充填割合パラメータ」を採用することは、刊行物２発明または刊行物３発明に基づいて容易になし得たことである。
　 
エ　そして、インクカートリッジのサイズによって、インク容器容量範囲（最大インク容量）が異なること（すなわち、「インク容器容量範囲を表すインク容器スケールパラメータ」が「複数のインク容器容量範囲から選択されたインク容器容量範囲を表す」こと）、及び、各インクカートリッジの最大インク容量に、インク室に残っているインクの相対量（充填度、「最大インク容器容量」に対する「充填割合パラメータ」）を掛け合わせることによって、インク量が決定できること（すなわち、「インク容器容量範囲の最大インク容器容量に、充填割合パラメータにより示される選択されたインク容器容量範囲の特定の充填割合を掛け合わせることにより、前記インク容器に関連するインク量を決定する」こと）は、当業者にとって自明の事項である。
　
オ　上記ア〜エから、刊行物１発明において、上記相違点に係る本願発明の構成となすことは、当業者が刊行物２発明または刊行物３発明に基づいて容易になし得たことである。 
　 
（２）本願発明が奏する効果について 
　本願発明の効果は、刊行物１〜３に記載された事項から予測し得る程度のものであって、格別のものではない。 
　 
（３）まとめ 
　以上のとおり、本願発明は、当業者が刊行物１〜３に記載された発明に基づいて、容易に発明をすることができたものである。 
　 
５．むすび 
　以上のとおり、本願発明は、当業者が刊行物１〜３に記載の発明に基づいて、容易に発明をすることができたものであるから、特許法第２９条第２項の規定により特許を受けることができない。 
　したがって、本願のその他の請求項に係る発明について検討するまでもなく、本願は拒絶すべきものである。 
　 
　よって、結論のとおり審決する。